【手続補正書】
【提出日】平成28年4月14日(2016.4.14)
【手続補正１】
【補正対象書類名】特許請求の範囲
【補正対象項目名】全文
【補正方法】変更
【補正の内容】
【特許請求の範囲】
【請求項１】
ビクティムｅノードＢ、ｅＮＢとネイバーｅＮＢとの間のアップリンク／ダウンリンク構成不整合に少なくとも部分的に基づいて潜在的干渉状態を識別すること、
を備える、ワイヤレス通信の方法であって、
（ｉ）前記ネイバーｅＮＢからのダウンリンク送信が、前記ビクティムｅＮＢにおいて受信されるアップリンク送信と干渉する時、前記ビクティムｅＮＢのアップリンク周波数リソースが可能にされると同時に、ダウンリンク周波数リソースを制限するために、または
（ｉｉ）前記ネイバーｅＮＢへのアップリンク送信が前記ビクティムｅＮＢからのダウンリンク送信と干渉する時、前記ビクティムｅＮＢのダウンリンク周波数リソースが可能にされると同時に、アップリンク周波数リソースを制限するために、
前記ビクティムｅＮＢが、前記識別された潜在的干渉に基づいて、前記ネイバーｅＮＢにシグナリングすること、
によって特徴付けられる、ワイヤレス通信の方法。
【請求項２】
前記ビクティムｅＮＢにおいて受信される前記アップリンク送信は、サブフレームの開始において送信しない短縮フォーマットで受信される、請求項１に記載の方法。
【請求項３】
前記ネイバーｅＮＢの周波数リソースは、ダウンリンク周波数リソースを制限するための前記シグナリングに応答してサイレントにされる、請求項１に記載の方法。
【請求項４】
前記ネイバーｅＮＢの周波数リソースの使用が、ダウンリンク周波数リソースを制限するための前記シグナリングに応答して、制限付き電力でまたは異なる方向へのビームフォーミングで制限される、請求項１に記載の方法。
【請求項５】
前記ビクティムｅＮＢからの前記ダウンリンク送信は、拡張物理ダウンリンク制御チャネル、ｅＰＤＣＣＨ、拡張物理ハイブリッドインジケータチャネル、ｅＰＨＩＣＨ、拡張物理制御フォーマットインジケータチャネル、ｅＰＣＦＩＣＨのうちの少なくとも１つ、またはそれらの組み合わせを備える、請求項１に記載の方法。
【請求項６】
ネイバーＵＥのアップリンク送信は、前記ネイバーＵＥが複数のアンテナを有する時、アップリンク周波数リソースを制限するための前記シグナリングに応答して、異なる方向へのビームフォーミングによってまたは低電力で制限される、請求項１に記載の方法。
【請求項７】
ビクティムｅノードＢ、ｅＮＢにおけるワイヤレス通信のための装置であって、
前記ビクティムｅＮＢとネイバーｅＮＢとの間のアップリンク／ダウンリンク構成不整合に少なくとも部分的に基づいて潜在的干渉状態を識別する手段と、
（ｉ）前記ネイバーｅＮＢからのダウンリンク送信が、前記ビクティムｅＮＢにおいて受信されるアップリンク送信と干渉する時、前記ビクティムｅＮＢのアップリンク周波数リソースが可能にされると同時に、ダウンリンク周波数リソースを制限するために、または
（ｉｉ）前記ネイバーｅＮＢへのアップリンク送信が前記ビクティムｅＮＢからのダウンリンク送信と干渉する時、前記ビクティムｅＮＢのダウンリンク周波数リソースが可能にされると同時に、アップリンク周波数リソースを制限するために、
前記識別された潜在的干渉に基づいて、前記ネイバーｅＮＢにシグナリングするための手段と、
を備える、装置。
【請求項８】
前記ビクティムｅＮＢにおいて受信される前記アップリンク送信は、サブフレームの開始において送信しない短縮フォーマットで受信される、請求項７に記載の装置。
【請求項９】
前記ネイバーｅＮＢの周波数リソースは、ダウンリンク周波数リソースを制限するための前記シグナリングに応答してサイレントにされる、請求項７に記載の装置。
【請求項１０】
前記ネイバーｅＮＢの周波数リソースの使用が、ダウンリンク周波数リソースを制限するための前記シグナリングに応答して、制限付き電力でまたは異なる方向へのビームフォーミングで制限される、請求項７に記載の装置。
【請求項１１】
前記ビクティムｅＮＢからの前記ダウンリンク送信は、拡張物理ダウンリンク制御チャネル、ｅＰＤＣＣＨ、拡張物理ハイブリッドインジケータチャネル、ｅＰＨＩＣＨ、拡張物理制御フォーマットインジケータチャネル、ｅＰＣＦＩＣＨのうちの少なくとも１つ、またはそれらの組み合わせを備える、請求項７に記載の装置。
【請求項１２】
ネイバーＵＥのアップリンク送信は、前記ネイバーＵＥが複数のアンテナを有する時、アップリンク周波数リソースを制限するための前記シグナリングに応答して、異なる方向へのビームフォーミングによってまたは低電力で制限される、請求項７に記載の装置。
【請求項１３】
ワイヤレスネットワークにおけるワイヤレス通信のためのコンピュータプログラム製品であって、
請求項１から６の方法のうちの何れか１つを実行するための非一時的プログラムコードを記録した非一時的コンピュータ可読媒体を備える、
コンピュータプログラム製品。
【手続補正２】
【補正対象書類名】明細書
【補正対象項目名】０１０９
【補正方法】変更
【補正の内容】
【０１０９】
[00131]本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示する原理および新規の特徴に合致する最も広い範囲を与えられるべきである。
以下に本願の出願当初の特許請求の範囲に記載された発明を付記する。
[Ｃ１]  アップリンク／ダウンリンク構成不整合に少なくとも部分的に基づいて潜在的干渉状態を識別することと、
前記識別された潜在的干渉に基づいて周波数リソースを制限するためにネイバー基地局にシグナリングすることとを備える、ワイヤレス通信の方法。
[Ｃ２]  前記シグナリングすることが、アップリンク干渉に対処するためにダウンリンク周波数リソースを制限するために前記基地局にシグナリングすることを備える、Ｃ１に記載の方法。
[Ｃ３]  前記シグナリングすることが、ダウンリンク干渉に対処するためにユーザ機器（ＵＥ）固有アップリンク周波数リソースを制限するために前記基地局にシグナリングすることを備える、Ｃ１に記載の方法。
[Ｃ４]  前記シグナリングすることが、サブフレームの開始において送信しない短縮フォーマットをシグナリングすることを備える、Ｃ３に記載の方法。
[Ｃ５]  コンポーネントキャリアのためのアップリンクまたはダウンリンク送信方向を適応的に割り当てることを備える、キャリアアグリゲーション構成内でのワイヤレス通信の方法。
[Ｃ６]  コンポーネントキャリア内でアップリンク送信とダウンリンク送信とを周波数分割多重化することを備える、キャリアアグリゲーション構成内でのワイヤレス通信の方法。
[Ｃ７]  前記ダウンリンク送信が、サブフレーム中で第１のシンボルのうちの少なくとも１つを使用しない、Ｃ６に記載の方法。
[Ｃ８]  前記アップリンク送信と前記ダウンリンク送信とが、サブフレーム中で前記第１のシンボルのうちの少なくとも１つを使用しない、Ｃ６に記載の方法。
[Ｃ９]  メモリと、
前記メモリに結合された少なくとも１つのプロセッサと、前記少なくとも１つのプロセッサが、
アップリンク／ダウンリンク構成不整合に少なくとも部分的に基づいて潜在的干渉状態を識別することと、
前記識別された潜在的干渉に基づいて周波数リソースを制限するためにネイバー基地局にシグナリングすることと
を行うように構成された、を備える、ワイヤレス通信のための装置。
[Ｃ１０]  シグナリングするように構成された前記少なくとも１つのプロセッサが、アップリンク干渉に対処するためにダウンリンク周波数リソースを制限するために前記基地局にシグナリングするようにさらに構成された、Ｃ９に記載の装置。
[Ｃ１１]  シグナリングするように構成された前記少なくとも１つのプロセッサが、ダウンリンク干渉に対処するためにユーザ機器（ＵＥ）固有アップリンク周波数リソースを制限するために前記基地局にシグナリングするようにさらに構成された、Ｃ９に記載の装置。
[Ｃ１２]  シグナリングするように構成された前記少なくとも１つのプロセッサが、サブフレームの開始において送信しない短縮フォーマットでシグナリングするようにさらに構成された、Ｃ１１に記載の装置。
[Ｃ１３]  メモリと、
前記メモリに結合された少なくとも１つのプロセッサと、前記少なくとも１つのプロセッサが、
コンポーネントキャリアのためのアップリンクまたはダウンリンク送信方向を適応的に割り当てる
ように構成された、を備える、ワイヤレス通信のための装置。
[Ｃ１４]  メモリと、
前記メモリに結合された少なくとも１つのプロセッサと、前記少なくとも１つのプロセッサが、
コンポーネントキャリア内でアップリンク送信とダウンリンク送信とを周波数分割多重化する
ように構成された、を備える、ワイヤレス通信のための装置。
[Ｃ１５]  前記ダウンリンク送信が、サブフレーム中で第１のシンボルのうちの少なくとも１つを使用しない、Ｃ１４に記載の装置。
[Ｃ１６]  前記アップリンク送信と前記ダウンリンク送信とが、サブフレーム中で前記第１のシンボルのうちの少なくとも１つを使用しない、Ｃ１４に記載の装置。
[Ｃ１７]  ワイヤレスネットワークにおけるワイヤレス通信のためのコンピュータプログラム製品であって、
非一時的プログラムコードを記録した非一時的コンピュータ可読媒体を備え、前記プログラムコードが、
アップリンク／ダウンリンク構成不整合に少なくとも部分的に基づいて潜在的干渉状態を識別するためのプログラムコードと、
前記識別された潜在的干渉に基づいて周波数リソースを制限するためにネイバー基地局にシグナリングするためのプログラムコードとを備える、コンピュータプログラム製品。
[Ｃ１８]  ワイヤレスネットワークにおけるワイヤレス通信のためのコンピュータプログラム製品であって、
非一時的プログラムコードを記録した非一時的コンピュータ可読媒体を備え、前記プログラムコードが、
コンポーネントキャリアのためのアップリンクまたはダウンリンク送信方向を適応的に割り当てるためのプログラムコードを備える、コンピュータプログラム製品。
[Ｃ１９]  ワイヤレスネットワークにおけるワイヤレス通信のためのコンピュータプログラム製品であって、
非一時的プログラムコードを記録した非一時的コンピュータ可読媒体を備え、前記プログラムコードが、
コンポーネントキャリア内でアップリンク送信とダウンリンク送信とを周波数分割多重化するためのプログラムコードを備える、コンピュータプログラム製品。
[Ｃ２０]  アップリンク／ダウンリンク構成不整合に少なくとも部分的に基づいて潜在的干渉状態を識別するための手段と、
前記識別された潜在的干渉に基づいて周波数リソースを制限するためにネイバー基地局にシグナリングするための手段とを備える、ワイヤレス通信のための装置。
[Ｃ２１]  コンポーネントキャリアのためのアップリンクまたはダウンリンク送信方向を適応的に割り当てるための手段を備える、ワイヤレス通信のための装置。
[Ｃ２２]  コンポーネントキャリア内でアップリンク送信とダウンリンク送信とを周波数分割多重化するための手段を備える、ワイヤレス通信のための装置。